(57)【要約】【課題】複数の種類を用意する必要なく、複数の種類やサイズの被梱包物品に対して良好な緩衝作用を発揮するコーナークッション材を提供する。【解決手段】被梱包物品が載置可能な載置面が上下に形成された載置部と、載置部から上方へ延出するように設けられ、被梱包物品と当接可能な第１壁部及び第１壁部と直交する第２壁部を有する第１立壁部と、載置部から下方へ延出するように設けられ、被梱包物品と当接可能な第３壁部及び第３壁部と直交する第４壁部を有する第２立壁部と、を備え、クッション材は、箱体に対して上下に反転して設置可能であり、第１立壁部の高さは、第２立壁部の高さより大きく形成されている。【選択図】図１０
2018158758.tif 000002
【特許請求の範囲】
【請求項１】
被梱包物品を収納する箱体内に設けられ、前記被梱包物品に対して緩衝作用を発揮するコーナークッション材であって、
前記被梱包物品が載置可能な載置面が上下に形成された載置部と、
前記載置部から上方へ延出するように設けられ、前記被梱包物品と当接可能な第１壁部及び前記第１壁部と直交する第２壁部を有する第１立壁部と、
前記載置部から下方へ延出するように設けられ、前記被梱包物品と当接可能な第３壁部及び前記第３壁部と直交する第４壁部を有する第２立壁部と、を備え、
前記コーナークッション材は、前記箱体に対して上下に反転して設置可能であり、
前記第１立壁部の高さは、第２立壁部の高さより大きく形成されていることを特徴とするコーナークッション材。
【請求項２】
前記載置部は、
上面に形成され、前記被梱包物品が載置可能な第１載置面と、
下面に形成され、前記コーナークッション材が上下に反転した状態で前記被梱包物品が載置可能な第２載置面と、を有し、
前記第１載置面に前記被梱包物品を載置した際の前記第２立壁部による緩衝力の大きさは、前記第２載置面に前記被梱包物品を載置した際の前記第１立壁部による緩衝力の大きさと、異なるものであることを特徴とする請求項１に記載のコーナークッション材。
【請求項３】
前記第１壁部、前記第２壁部、前記第３壁部、及び前記第４壁部の少なくとも何れか一方は、少なくとも一部が屈折自在であり、屈折した部分が前記載置面の直下に位置することで前記載置面の直上から下方へ掛かる前記被梱包物品の荷重を支える第１状態と、屈折させずに前記第１状態より前記一方の前記第３壁部及び前記第４壁部を前記載置部より離れた位置まで延出させることで前記載置面に載置された前記被梱包物品の荷重による前記コーナークッション材の傾きを抑制する第２状態と、を切替可能であることを特徴とする請求項１又は２に記載のコーナークッション材。
【請求項４】
前記第１立壁部の上方又は前記第２立壁部の上方に設置可能な高さ調整部材をさらに備えたことを特徴とする請求項１〜３の何れか１つに記載のコーナークッション材。
【請求項５】
前記コーナークッション材は、１枚の段ボール材を折り曲げることで立体的に形成されており、
前記載置部は、前記第２立壁部が前記載置部より下方にある状態における下方側から上方に向かって伸びた段ボール材が垂直に折り曲げられて形成されたことを特徴とする請求項１〜４の何れか１つに記載のコーナークッション材。
【発明の詳細な説明】
【技術分野】
【０００１】
本発明の態様は、一般的に、被梱包物品を収納（梱包）する箱体内に設けられ、被梱包物品に対して緩衝作用を発揮するコーナークッション材に関する。
【背景技術】
【０００２】
近年、例えば板材や鏡などの被梱包物品を収納する箱体内に設けられ、被梱包物品に対して緩衝作用を発揮するコーナークッション材が知られている（特許文献１）。このコーナークッション材によって、被梱包物品を配送している際に、配送者が意図しない衝撃等によって、破損することを抑制することができる。
【０００３】
コーナークッション材においては、被梱包物品に対する緩衝作用を得るために、被梱包物品と箱体との間に形成される間隙を可能な限り埋めるように成形・配置する必要がある。一方で、被梱包物品と箱体との間に形成される間隙の大きさは、被梱包物品の種類やサイズによって異なるため、被梱包物品に応じて、様々な種類のコーナークッション材を用意する必要があった。このことから、様々な種類のコーナークッション材を製造するための製造コストが多く発生することや、生産性が低下するといった様々な問題がある。
【先行技術文献】
【特許文献】
【０００４】
【特許文献１】特開２００４−１２３１１４号公報
【発明の概要】
【発明が解決しようとする課題】
【０００５】
本発明は、かかる課題の認識に基づいてなされたものであり、複数の種類を用意する必要なく、複数の種類やサイズの被梱包物品に対して良好な緩衝作用を発揮するコーナークッション材を提供することを目的とする。
【課題を解決するための手段】
【０００６】
第１の発明は、被梱包物品を収納する箱体内に設けられ、前記被梱包物品に対して緩衝作用を発揮するコーナークッション材であって、前記被梱包物品が載置可能な載置面が上下に形成された載置部と、前記載置部から上方へ延出するように設けられ、前記被梱包物品と当接可能な第１壁部及び前記第１壁部と直交する第２壁部を有する第１立壁部と、前記載置部から下方へ延出するように設けられ、前記被梱包物品と当接可能な第３壁部及び前記第３壁部と直交する第４壁部を有する第２立壁部と、を備え、前記コーナークッション材は、前記箱体に対して上下に反転して設置可能であり、前記第１立壁部の高さは、第２立壁部の高さより大きく形成されていることを特徴とするコーナークッション材である。
【０００７】
このコーナークッション材によれば、第１立壁部及び第２立壁部の高さをそれぞれ異なるものとし、第１立壁部及び第２立壁部の何れか若しくはその両方を、被梱包物品に対する緩衝部として利用することができる。このため、１種類のコーナークッション材で高さの異なる２つの被梱包物品を緩衝することができる。なお、例えば左側のコーナーで用いるコーナークッション材と、右側のコーナーで用いるコーナークッション材とが異なる場合であっても、左側及び右側のコーナーで用いるそれぞれ１種類のコーナークッション材で、高さの異なる２つの被梱包物品を緩衝することができるものであれば、「１種類のコーナークッション材で高さの異なる２つの被梱包物品を緩衝することができる」ものである。
【０００８】
第２の発明は、第１の発明において、前記載置部は、上面に形成され、前記被梱包物品が載置可能な第１載置面と、下面に形成され、前記コーナークッション材が上下に反転した状態で前記被梱包物品が載置可能な第２載置面と、を有し、前記第１載置面に前記被梱包物品を載置した際の前記第２立壁部による緩衝力の大きさは、前記第２載置面に前記被梱包物品を載置した際の前記第１立壁部による緩衝力の大きさと、異なるものであることを特徴とするコーナークッション材である。
【０００９】
このコーナークッション材によれば、第１載置面に被梱包物品を載置した際の第２立壁部による緩衝力の大きさは第２載置面に被梱包物品を載置した際の第１立壁部による緩衝力の大きさと異なるものであるため、１種類のコーナークッション材で、高さだけではなく荷重が違う等のより様々な種類の被梱包物品を緩衝することができる。
なお、本発明における「緩衝力」とは、荷重に対するクッション性能の高さのことであり、「緩衝力」が大きければ大きいほど、荷重に対して緩衝する緩衝作用が強いものである。
【００１０】
第３の発明は、第１又は２の発明において、前記第１壁部、前記第２壁部、前記第３壁部、及び前記第４壁部の少なくとも何れか一方は、少なくとも一部が屈折自在であり、屈折した部分が前記載置面の直下に位置することで前記載置面の直上から下方へ掛かる前記被梱包物品の荷重を支える第１状態と、屈折させずに前記第１状態より前記一方の前記第３壁部及び前記第４壁部を前記載置部より離れた位置まで延出させることで前記載置面に載置された前記被梱包物品の荷重による前記コーナークッション材の傾きを抑制する第２状態と、を切替可能であることを特徴とするコーナークッション材である。
【００１１】
このコーナークッション材によれば、コーナークッション材の第１壁部又は第２壁部を第１状態とすることで、載置面の直上から下方へ掛かる被梱包物品の荷重を載置面によってより効果的に支えることができ、コーナークッション材の第１壁部又は第２壁部を第２状態とすることで、載置面から離れた位置が特に重い被梱包物品であっても、被梱包物品の荷重を載置面だけでなく第１壁部又は第２壁部によってより効果的に支えるとともに、コーナークッション材が傾いてしまうことを効果的に抑制することができる。このことより、１種類のコーナークッション材で、より色々な種類の被梱包物品に対応することができる。
【００１２】
第４の発明は、第１〜３の何れか１つの発明において、前記第１立壁部の上方又は前記第２立壁部の上方に設置可能な高さ調整部材をさらに備えたことを特徴とするコーナークッション材である。
【００１３】
このコーナークッション材によれば、高さ調整部材によって、高さ（又は厚み）が異なるさらに色々な種類の被梱包物品に対応することができる。
【００１４】
第５の発明は、第１〜４の何れか１つの発明において、前記コーナークッション材は、１枚の段ボール材を折り曲げることで立体的に形成されており、前記載置部は、前記第２立壁部が前記載置部より下方にある状態における下方側から上方に向かって伸びた段ボール材が垂直に折り曲げられて形成されたことを特徴とするコーナークッション材である。
【００１５】
このコーナークッション材によれば、載置部は第２立壁部が載置部より下方にある状態における下方側から上方に向かって伸びた段ボール材が垂直に折り曲げられて形成されているため、高さが第２立壁部のものより大きいことによってより重い被梱包物品が載置可能となる第１立壁部を上に向けて設置した際において、特に強い荷重に対する緩衝作用を得ることができる。
【発明の効果】
【００１６】
本発明の態様によれば、複数の種類を用意する必要なく、複数の種類やサイズの被梱包物品に対して良好な緩衝作用を発揮するコーナークッション材を提供することができる。
【図面の簡単な説明】
【００１７】
【図１】本発明の第１の実施の形態に係るコーナークッション材を示す模式的斜視図である。
【図２】図１のコーナークッション材を示す模式図である。
【図３】図１のコーナークッション材の上下が反転した状態を示す模式図である。
【図４】図１のコーナークッション材及び被梱包物品を示す模式的斜視図である。
【図５】図１のコーナークッション材における載置部の第１載置面に被梱包物品が載置された状態を示す模式的側面図である。
【図６】図１のコーナークッション材における載置部の第２載置面に被梱包物品が載置された状態を示す模式的側面図である。
【図７】図１のコーナークッション材の第３壁部が第２状態となった状態を示す模式的斜視図である。
【図８】図１のコーナークッション材の第１壁部が第２状態となった状態を示す模式的斜視図である。
【図９】図７のコーナークッション材に被梱包物品が載置された状態を示す模式的側面図である。
【図１０】本発明の第２の実施の形態に係るコーナークッション材を示す模式的斜視図である。
【図１１】図１０のコーナークッション材を示す模式図である。
【図１２】本発明の他の変形例を表すコーナークッション材を示す模式的側面図である。
【発明を実施するための形態】
【００１８】
以下、本発明の実施の形態について図面を参照しつつ説明する。なお、各図面中、同様の構成要素には同一の符号を付して詳細な説明は適宜省略する。
【００１９】
図１は、本発明の第１の実施の形態に係るコーナークッション材を示す模式的斜視図である。
図２は、図１のコーナークッション材を示す模式図である。なお、図２（ａ）は、図１のコーナークッション材を示す模式上面図であり、図２（ｂ）は、図２（ａ）のＸ１方向から見た図１のコーナークッション材を示す模式正面図であり、図２（ｃ）は、図２（ａ）のＹ１方向から見た図１のコーナークッション材を示す模式側面図であり、図２（ｄ）は、図２（ｃ）のコーナークッション材を示す模式側方断面図である。
図３は、図１のコーナークッション材の上下が反転した状態を示す模式図である。なお、図３（ａ）は、図１のコーナークッション材の上下が反転した状態を示す模式上面図であり、図３（ｂ）は、図３（ａ）のＸ２方向から見た図１のコーナークッション材の上下が反転した状態を示す模式正面図であり、図３（ｃ）は、図３（ａ）のＹ２方向から見た図１のコーナークッション材の上下が反転した状態を示す模式側面図であり、図３（ｄ）は、図３（ｃ）のコーナークッション材を示す模式側方断面図である。
【００２０】
図１〜３に示すように、コーナークッション材１は、載置部２と、載置部２から上方へ延出するように設けられた第１立壁部４と、載置部２から下方へ延出するように設けられた第２立壁部６と、を備えている。コーナークッション材１は、被梱包物品を収納する箱体（図示せず）内に設けられ、被梱包物品に対して緩衝作用を発揮するものである。コーナークッション材１は、段ボール材によって形成されており、１枚の段ボール材を折り曲げることで成形されている。コーナークッション材１は、箱体に対して上下に反転して設置可能である。
【００２１】
載置部２には、被梱包物品が載置可能な載置面が上下に形成されている。即ち、載置部２は、第１載置面２ａ及び第２載置面２ｂを有している。第１載置面２ａ及び第２載置面２ｂは、載置部２において表裏一体に設けられている。載置部２は、上面視において、被梱包物品を載置する載置面のコーナー部分が切り欠かれたように湾曲している。
【００２２】
第１立壁部４は、被梱包物品と当接可能な第１壁部４ａ及び第１壁部４ａと直交する第２壁部４ｂを有している。第２立壁部６は、被梱包物品と当接可能な第３壁部６ａ及び第３壁部６ａと直交する第４壁部６ｂを有している。なお、本発明でいう「直交」とは、２つの線又は面が、８０度以上１１０度以下の角度で交わるものである。
【００２３】
第１壁部４ａの下端には、略コの字状に切り欠かれた第１切り欠き４ｃ（図８参照）が設けられている。第２壁部４ｂの上端には、略コの字状に切り欠かれた第２切り欠き４ｄ（図８参照）が設けられている。第１切り欠き４ｃと第２切り欠き４ｄとが嵌合することで、第１壁部４ａ及び第２壁部４ｂが、互いに直交した状態で接続される。
【００２４】
第３壁部６ａの上端には、略コの字状に切り欠かれた第３切り欠き６ｃ（図７参照）が設けられている。第４壁部６ｂの下端には、略コの字状に切り欠かれた第４切り欠き６ｄ（図示は省略）が設けられている。第３切り欠き６ｃと第４切り欠き６ｄとが嵌合することで、第３壁部６ａ及び第４壁部６ｂが、互いに直交した状態で接続される。
【００２５】
第１壁部４ａは、屈折自在に形成された第１屈折部４ｅを有している。第１屈折部４ｄが第１載置面２ａの直下に位置することで、第２載置面２ｂ（第１載置面２ａの直上）から下方へ掛かる被梱包物品の荷重を支えることができる。この際のコーナークッション１の状態を、第１壁部４ａ第１状態とする。
【００２６】
第３壁部６ａは、屈折自在に形成された第２屈折部６ｅを有している。第２屈折部６ｅが第２載置面２ｂの直下に位置することで、第１載置面２ａ（第２載置面２ｂの直上）から下方へ掛かる被梱包物品の荷重を支えることができる。この際のコーナークッション１の状態を、第３壁部６ａにおける第１状態とする。
【００２７】
載置部２は、第１立壁部４及び第２立壁部６によって上下から挟み込まれることによって、上方向又は下方向から外力が加わった際に、下方向又は上方向へ折れ曲がりやすくなってしまうことを抑制できる。
【００２８】
第１立壁部４の高さは、第２立壁部６の高さより大きく形成されている。例えば、第１立壁部４の高さは、第２立壁部６の高さより、１センチメートル（ｃｍ）以上大きい。
【００２９】
図４は、図１のコーナークッション材及び被梱包物品を示す模式的斜視図である。
図５は、図１のコーナークッション材における載置部の第１載置面に被梱包物品が載置された状態を示す模式的側面図である。
図６は、図１のコーナークッション材における載置部の第２載置面に被梱包物品が載置された状態を示す模式的側面図である。
【００３０】
図４に示すように、コーナークッション材１は、１つの箱体に対して、被梱包物品１００のコーナー部分と当接するように、４隅に１つずつ、計４つ設置される。このコーナークッション材１においては、互いに隣り合うコーナークッション材１は、互いに左右対称な形状である。また、互いに対角線上に設置されたコーナークッション材１は、同一の部材である。
【００３１】
図５に示すように、第３壁部６ａが第１状態の際には、第２屈折部６ｅが第２載置面２ｂの直下に位置することで、第１載置面２ａ（第２載置面２ｂの直上）から下方へ掛かる被梱包物品１０１の荷重を強く支えることができる。
【００３２】
図６に示すように、第１壁部４ａが第１状態の際には、第１屈折部４ｅが第１載置面２ａの直下に位置することで、第２載置面２ｂ（第１載置面２ａの直上）から下方へ掛かる被梱包物品１０２の荷重を強く支えることができる。
【００３３】
図５及び図６に示したように、１種類のコーナークッション材１で、高さ（厚み）の異なる２つの被梱包物品１０１、１０２を緩衝することができる。また、図示は省略したが、上下に形成された第１載置面２ａ及び第２載置面２ｂそれぞれに、被梱包物品をそれぞれ当接するように配置することで、１種類のコーナークッション材１で、高さ（厚み）の異なる２つの被梱包物品１０１、１０２両方を緩衝することも可能である。
【００３４】
図２（ｄ）に示したように、第２立壁部６が載置部２より下方にある状態において、本発明の実施の形態におけるコーナークッション材１の載置部２は、下方側から上方に向かって伸びた段ボール材が垂直に折り曲げられることで形成されている。このことにより、高さが第２立壁部６のものより大きいことによってより重い被梱包物品が載置可能となる第１立壁部４を、上に向けて設置した際において、特に強い荷重に対する緩衝作用を得ることができる。
この際、載置部２より下方の領域には、複数回折り曲げられた段ボール材が、垂直方向に積み重なって充填されていることが、より好ましい。このことにより、第１載置面２ａに被梱包物品を載置した際に、さらに強い緩衝作用を得ることができる。
【００３５】
図７は、図１のコーナークッション材の第３壁部が第２状態となった状態を示す模式的斜視図である。
図８は、図１のコーナークッション材の第１壁部が第２状態となった状態を示す模式的斜視図である。
図９は、図７のコーナークッション材に被梱包物品が載置された状態を示す模式的側面図である。
【００３６】
図７に示すように、屈折自在に形成された第１屈折部４ｅを屈折させずに、第１状態の際より一方の第１壁部４ａを載置部２より離れた位置まで延出させた状態とすることも可能である。この際のコーナークッション１の状態を、第１壁部４ａの第２状態とする。
【００３７】
図８に示すように、屈折自在に形成された第２屈折部６ｅを屈折させずに、第１状態の際より第３壁部６ａを載置部２より離れた位置まで延出させた状態とすることも可能である。この際のコーナークッション１の状態を、第３壁部６ａの第２状態とする。
【００３８】
図９に示すように、第１壁部４ａが第２状態の際には、第１壁部４ａが第１屈折部４ｅを屈折させずに、第１状態の際より第１壁部４ａを載置部２より離れた位置まで延出させた状態であるため、第１載置面２ａから離れた位置、例えば被梱包物品１０３の中央部Ａが特に重い被梱包物品１０３であっても、被梱包物品１０３の荷重を第１載置面２ａだけでなく第１壁部４ａによってより効果的に支えるとともに、コーナークッション材１自体が傾いてしまうことを効果的に抑制することができる。
【００３９】
図１０は、本発明の第２の実施の形態に係るコーナークッション材を示す模式的斜視図である。
図１１は、図１０のコーナークッション材を示す模式図である。なお、図１１（ａ）は、図１０のコーナークッション材を示す模式上面図であり、図１１（ｂ）は、図１１（ａ）のＸ３方向から見た図９のコーナークッション材を示す模式正面図であり、図１１（ｃ）は、図１１（ａ）のＹ３方向から見た図９のコーナークッション材を示す模式側面図であり、図１１（ｄ）は、図１１（ａ）のコーナークッション材を示す模式側方断面図である。
【００４０】
図１０及び図１１に示すように、本発明の第２の実施の形態に係るコーナークッション材１Ａにおいては、第１立壁部の上方に設置可能な高さ調整部材８を備えている。
【００４１】
高さ調整部材８は、折り曲げられた段ボール材で形成されている。高さ調整部材８は、第２壁部４ｂに当接するように、コーナークッション材１Ａの上方に設けられた開口部１０に挿入されることで、コーナークッション材１Ａの高さを調整（大きく）できるものである。この高さ調整部材８により、高さ（又は厚み）が異なるさらに色々な種類の被梱包物品に対応することができる
【００４２】
以上、本発明の実施の形態について説明した。しかし、本発明はこれらの記述に限定されるものではない。
【００４３】
本発明において、コーナークッション材１、１Ａの第１立壁部４の高さを第２立壁部６の高さより大きく形成されたものであった。しかしそれに加え、第２壁部４ｂの左右方向の位置と、第４壁部６ｂの左右方向の位置とが、異なるものであっても良い。例えば、図１２に示すように、コーナークッション材１Ｂの左右方向の端部から第４壁部６０ｂまでの距離Ｌ１と、コーナークッション材１Ｂの左右方向の端部から第２壁部４０ｂまでの距離Ｌ２と、が異なるものであっても良い。図１２に示すコーナークッション材１Ｂでは、コーナークッション材１Ｂの左右方向の端部から第４壁部６０ｂまでの距離Ｌ１は、コーナークッション材１Ｂの左右方向の端部から第２壁部４０ｂまでの距離Ｌ２より、短いものである。このような構成とすることで、第１載置面２０ａに被梱包物品を載置する場合と、第２載置面２０ｂに被梱包物品を載置する場合とで、幅方向の長さが異なる被梱包物品を収納することができる。したがって、１種類のコーナークッション材で、より様々な種類の被梱包物品を緩衝することができる。
【００４４】
本発明の実施の形態において、高さ調整部材８は、第２壁部４ｂに当接するように、コーナークッション材１Ａの上方に設けられた開口部１０に挿入されることで、コーナークッション材１Ａの高さを調整（大きく）できるものであったが、本発明はそれに限らない。例えば、第４壁部６ｂに当接するように、コーナークッション材１Ａの上方に設けられた開口部に挿入されることで、コーナークッション材１Ａの高さを調整（大きく）できるものであっても良い。
【００４５】
本発明の実施の形態において、高さ調整部材８は、コーナークッション材１Ａの高さを調整できるものであったが、本発明はそれに限らず、例えば、高さ調整部材８の有無によって、コーナークッション材１Ａの被梱包物品に対する緩衝力を調整できるものであっても良い。
【００４６】
前述の実施の形態に関して、当業者が適宜設計変更を加えたものも、本発明の特徴を備えている限り、本発明の範囲に包含される。例えば、コーナークッション材１、１Ａなどが備える各要素の形状、寸法、材質、配置などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００４７】
１、１Ａ、１Ｂ コーナークッション材、  ２、２０ 載置部、  ２ａ、２０ａ 第１載置面、  ２ｂ、２０ｂ 第２載置面、  ４ 第１立壁部、  ４ａ、４０ａ 第１壁部、  ４ｂ、４０ｂ 第２壁部、  ４ｃ 第１切り欠き、  ４ｄ 第２切り欠き、  ４ｅ 第１屈折部、  ６ 第２立壁部、  ６ａ、６０ａ 第３壁部、  ６ｂ、６０ｂ 第４壁部、  ６ｃ 第３切り欠き、  ６ｄ 第４切り欠き、  ６ｅ 第２屈折部  ８ 高さ調整部材、  １０ 開口部、  １００、１０１、１０２、１０３ 被梱包物品
【図１】
2018158758.tif 000003
【図２】
2018158758.tif 000004
【図３】
2018158758.tif 000005
【図４】
2018158758.tif 000006
【図５】
2018158758.tif 000007
【図６】
2018158758.tif 000008
【図７】
2018158758.tif 000009
【図８】
2018158758.tif 000010
【図９】
2018158758.tif 000011
【図１０】
2018158758.tif 000012
【図１１】
2018158758.tif 000013
【図１２】
2018158758.tif 000014